(57)【要約】      （修正有）【課題】ミニキッチンを備え、かつ内部に洗濯機を収納可能なテーブルであって、その天板を開閉にすることにより洗濯機を使用可能にする、省スペース化を効率的に実現したミニキッチン付き洗濯機収納開閉テーブルを提供する。【解決手段】４本の脚１０と、各脚１０の頂部に設置された四方を囲むフレーム２と、フレーム２上に載置されたステンレス板を加工したカウンタートップ３とからなり、カウンタートップ３は、シンク２１を備えたシンク部と、開閉可能な蓋部を備えた開閉部とから構成される。蓋部の直下に洗濯機を収納するスペースを設け、洗濯機を使用するときは蓋部を開いて使用し、洗濯機を使用しないときは蓋部を閉めた状態にしてテーブルとして使用する。【選択図】図１
0003173493.tif 000002
【実用新案登録請求の範囲】
【請求項１】
４本の脚と、該各脚の頂部に設置された四方を囲むフレームと、該フレーム上に載置されたステンレス板を加工したカウンタートップとからなり、
前記カウンタートップは、シンクを備えたシンク部と、開閉可能な蓋部を備えた開閉部とから構成され、
前記蓋部の直下に洗濯機を収納するスペースを設けたミニキッチン付き洗濯機収納開閉テーブルであって、
前記スペースに収納された洗濯機を使用するときは前記蓋部を開いて使用し、前記洗濯機を使用しないときは前記蓋部を閉めた状態にしてテーブルとして使用可能とした、
ことを特徴とするミニキッチン付き洗濯機収納開閉テーブル。
【請求項２】
前記各脚には、高さを調節可能なアジャスターが備えられている、
ことを特徴とする請求項１に記載のミニキッチン付き洗濯機収納開閉テーブル。
【請求項３】
前記アジャスターは、ネジ機構により構成される、
ことを特徴とする請求項１又は２に記載のミニキッチン付き洗濯機収納開閉テーブル。
【請求項４】
前記蓋部の後端には、防水手段を取り付けた、
ことを特徴とする請求項１から３までのいずれか１項に記載のミニキッチン付き洗濯機収納開閉テーブル。
【請求項５】
前記防水手段は、モヘアで形成されている
ことを特徴とする請求項１から４までのいずれか１項に記載のミニキッチン付き洗濯機収納開閉テーブル。
【考案の詳細な説明】
【技術分野】
【０００１】
本考案は、ミニキッチンを備え、かつ下方に洗濯機を収容できるようにしたミニキッチン付き洗濯機収納開閉テーブルに関する。
【背景技術】
【０００２】
例えば、ワンルーム賃貸住宅等のように、延床面積が小さい住宅には、キッチンをコンパクトに設計したいわゆるミニキッチンが使用されている。そして、さらに省スペース化を試みるべく、内部に洗濯機を収納するミニキッチンが開発されている（例えば、特許文献１及び２）。
【先行技術文献】
【特許文献】
【０００３】
【特許文献１】特開平２００７−１６００５０
【特許文献２】特許第４３０７５１８号
【０００４】
しかしながら、従来例の洗濯機収納用ミニキッチンにおいては、スライド等を利用して手前に引き出していたため、その分のスペースを余分に確保する必要があった。また、構造が複雑なため、その分手間や製造コストがかかっていた。
【考案の概要】
【考案が解決しようとする課題】
【０００５】
本考案は、従来例における上記問題点を解決するためになされたものであって、ミニキッチンを備え、かつ内部に洗濯機を収納可能なテーブルであって、その天板（カウンタートップ）を開閉にすることにより洗濯機を使用可能にする、省スペース化を効率的に実現したミニキッチン付き洗濯機収納開閉テーブルを提供することにある。
【課題を解決するための手段】
【０００６】
上記目的を解決するため、本考案に係るミニキッチン付き洗濯機収納開閉テーブルの第１の特徴は、４本の脚と、該各脚の頂部に設置された四方を囲むフレームと、該フレーム上に載置されたステンレス板を加工したカウンタートップとからなり、前記カウンタートップは、シンクを備えたシンク部と、開閉可能な蓋部を備えた開閉部とから構成され、前記蓋部の直下に洗濯機を収納するスペースを設けたミニキッチン付き洗濯機収納開閉テーブルであって、前記スペースに収納された洗濯機を使用するときは前記蓋部を開いて使用し、前記洗濯機を使用しないときは前記蓋部を閉めた状態にしてテーブルとして使用可能としたことを特徴するものである。
【０００７】
また、本考案に係るミニキッチン付き洗濯機収納開閉テーブルの第２の特徴は、前記第１の特徴を有するものにあいて、前記各脚に高さを調節可能なアジャスターが備えられていることを特徴とするものである。
【０００８】
さらに、本考案に係るミニキッチン付き洗濯機収納開閉テーブルの第３の特徴は、前記第１又は第２の特徴を有するものにおいて、前記アジャスターが、ネジ機構により構成されることを特徴とするものである。
【０００９】
さらにまた、本考案に係るミニキッチン付き洗濯機収納開閉テーブルの第４の特徴は、前記第１から第３の特徴を有するものにおいて、前記蓋部の後端に防水手段を取り付けたことを特徴とするものである。
【００１０】
また、本考案に係るミニキッチン付き洗濯機収納開閉テーブルの第５の特徴は、前記第１から第４の特徴を有するものにおいて、前記防水手段がモヘアで形成されていることを特徴とするものである。
【考案の効果】
【００１１】
本考案によれば、洗濯機をカウンタートップ下に収納し、カウンタートップを上方に開くことにより、洗濯機を前方に引き出すことなく使用することが可能となり、その分の部屋のスペースを効率的に省略することができる。
【００１２】
また、簡単な構造とすることにより、製造コストを低く抑えることが可能となる。
【図面の簡単な説明】
【００１３】
【図１】図１は、本考案に係るミニキッチン付き洗濯機収納開閉テーブルの正面図である。
【図２】図２は、本考案に係るミニキッチン付き洗濯機収納開閉テーブルの平面図である。
【図３】図３は、本考案に係るミニキッチン付き洗濯機収納開閉テーブルの右側面図である。
【図４】図４は、図１のA部を拡大したものであり、アジャスターを説明するためテーブル底部の断面図である。
【図５】図５は、図２のX-X断面図である。
【図６】図６は、図２のY-Y断面図である。
【図７】図７は、図２のZ-Z断面図であり、蓋部が閉まっている状態を示すものである。
【図８】図８は、図２のZ-Z断面図であり、蓋部が開いている状態を示すものである。
【考案を実施するための形態】
【００１４】
以下、図を参照して、本考案の実施形態を説明する。
【００１５】
図中１は本考案に係るミニキッチン付き洗濯機収納開閉テーブルを示したものである。ミニキッチン付き洗濯機収納開閉テーブル１は、４本の各脚１０と該脚１０の頂部に設置された四方を囲むフレーム２と、該フレーム２上に設置されたカウンタートップ３とから大略構成される。
【００１６】
前記カウンタートップ３は、その四方が折り曲げ加工されたステンレス板で、前記フレーム２上に載置されている。該カウンタートップ３は、境界４を境にシンク部２０と、平板状の開閉部３０とから構成されている。
【００１７】
前記シンク部２０には、キッチンの流し台であるシンク２１が形成されている。また、水栓（図示せず）に給水するための給水管（図示せず）用の給水孔２２と、シンク２１に流れた水を排水管（図示せず）に排水するための排水孔２３とが形成されている。
【００１８】
前記開閉部３０は、前記フレーム２に固着された固定部３１と、蓋部３２とで形成されている。蓋部３２は、前記固定部３１と蝶番３３等の回転可能な接続部材で接続され、上方へ向かって開くことができる。
【００１９】
前記蓋部３２の直下には、洗濯機５が収納されており、前記蓋部３２を上方へ開くことにより、洗濯機５を使用することが可能になる。また、該蓋部３２の四方は、前記洗濯機５の上面四方よりも大きくなるように形成されている。
【００２０】
前記各脚１０は、少なくとも小型洗濯機の高さよりも高くし、前記カウンタートップ３の下に該洗濯機が収納できるスペースを形成する。また、各脚１０は中空で、内部には洗濯機５の高さに応じて各脚１０の高さを調整できるよう、アジャスター１１が備えられている。該アジャスター１１は、脚の底部１２に形成された雌ねじ部１３に螺合するネジ部材であり、その先端部１４には緩衝材としてのクッションゴム１５が取り付けられている。そして該アジャスター１１を回転させることにより、ネジ機構によって該アジャスター１１が上下し、脚１０の高さを調整することができる。なお、図示の例では、前記アジャスター１１を隠すための各カバー１６が、各脚１０の底部周囲に取り付けられている。
【００２１】
図５は、図２におけるX-X面の断面図である。シンク部２０の右端部２４は、シンク用フレーム２´の隅角部ａに沿って折り曲げされた後、再度断面凹形になるように折り曲げられ、前記蓋部３２の左端部３４を受け、支えるための受部２５を形成している。前記受部２５は、前記蓋部３２が閉じている状態において、蓋部３２の平面とシンク部２０の平面とが同一面の高さになるように形成される。
【００２２】
図５において、蓋部３２の左端部３４は、断面逆コ字状に折り曲げ形成され、その下端にはクッション材の役割を有するなみだ目形状のゴム材３５が取り付けられている。そして、蓋部３２の左端部３４は、シンク部２０の右端部２４と少しの隙間を開けて前記受台２５に着脱自在に載置される。
【００２３】
図６は、図２におけるY-Y面の断面図である。蓋部３２の前端部３６は、断面逆コ字状に折り曲げ成形されているとともに、フレーム２を台として着脱自在に載置される。
【００２４】
図７は、図２におけるZ-Z面の断面図である。固定部３１と蓋部３２とは、蝶番３３を介して接続されている。蝶番３３は、外観上の見た目をよくすべく、蓋部３２の開閉時には見えないよう、いわゆる裏蝶番を使用するのが理想的である。従って、図示の例では、蝶番３３は、蓋部３２の後端部３７の裏側に取り付けられるとともに、固定部３１の前端部に略凹状に形成された接続部受台３８にビス等の部材３９を通して固定されている。これにより、前記蓋部３２は、上方へ開くことが可能となっている。
【００２５】
前記蓋部３２の後端部３７は、鈎形に折り曲げ加工されており、その後端には防水のための防水手段４０が取付けられている。図示の例では、モヘア材が取り付けられている。これにより、蓋部３２が閉止している状態においては、シンク部２０からの水が固定部３１と蓋部３２との隙間に浸入しないようにしている。
【産業上の利用性】
【００２６】
本考案は、洗濯機を下部に収納し、使用するものとしたが、洗濯機に限られることなく、上部を開口して使用するものであれば、全てに利用することができ、これによって今まで余分に使用していたスペースの無駄を省くことができる。
【符号の説明】
【００２７】
１    ミニキッチン付き洗濯機収納開閉テーブル
２    フレーム
３    カウンタートップ
５    洗濯機
１０  脚
１１  アジャスター
２０  シンク部
２１  シンク
３０  開閉部
３１  固定部
３２  蓋部
３３  蝶番
４０  防水手段
【図１】
0003173493.tif 000003
【図２】
0003173493.tif 000004
【図３】
0003173493.tif 000005
【図４】
0003173493.tif 000006
【図５】
0003173493.tif 000007
【図６】
0003173493.tif 000008
【図７】
0003173493.tif 000009
【図８】
0003173493.tif 000010